(57)【要約】【課題】水田などの浅く底部に巻き上げやすい泥があるような環境でも的確に試料液中の被検物質を回収することができる被検物質回収装置ないしこれを用いた被検物質の回収方法等を提供する。【手段】貯留された試料液に浮遊しながら当該試料液中の被検物質を回収する装置であって、前記試料液を汲み上げる汲み上げ機構と、汲み上げた試料液を流通させ被検物質を回収する吸着剤を収納する回収器と、当該回収器から排出された試料液を貯留試料液に戻す返戻機構とを有する被検物質回収装置。【選択図】図１
2014228422.tif 000002
【特許請求の範囲】
【請求項１】
貯留された試料液に浮遊しながら当該試料液中の被検物質を回収する装置であって、
前記試料液を汲み上げる汲み上げ機構と、汲み上げた試料液を流通させ被検物質を吸着する吸着剤を収納する回収器と、当該回収器から排出された試料液を貯留試料液に戻す返戻機構とを有する被検物質回収装置。
【請求項２】
さらに、浮力を得るための浮子体を有する請求項１に記載の被検物質回収装置。
【請求項３】
前記汲み上げ機構および前記回収器が浮子体もしくは浮力のある基材に載置されている請求項１または２に記載の被検物質回収装置。
【請求項４】
さらに、カートリッジフィルタを有し、汲み上げた試料液のろ過を行った後、前記回収器に送る請求項１〜３のいずれか１項に記載の被検物質回収装置。
【請求項５】
さらに、電池を有する請求項１〜４のいずれか１項に記載の被検物質回収装置。
【請求項６】
前記貯留された試料液に装置の一部が入水し、試料液が汲み上げられるその入水した箇所に、メッシュフィルターが設けられ、試料液を汲み上げる際の異物の混入を防止する請求項１〜５のいずれか１項に記載の被検物質回収装置。
【請求項７】
前記回収器が、上部と底部に開口部を有する測定容器とこれを収容する筐体とを有し、前記測定容器は被検物質を吸着する吸着剤を収納することができ、前記筐体は測定容器の実質的に内部のみに試料液を流通させるよう測定容器の上部縁部と底部縁部とを密閉状態で収容する請求項１〜６のいずれか１項に記載の被検物質回収装置。
【請求項８】
前記測定容器の上部および底部にはシール材が配置されて、前記筐体の内面と前記測定容器の縁部外面とが前記シール材を介して密閉される請求項７に記載の被検物質回収装置。
【請求項９】
前記筐体は筐体上部と筐体下部とで構成され、前記筐体上部と筐体下部とは螺合して一体化する構造とされ、前記測定容器とその上部および下部に位置するシール材を内包し、その内包状態で前記筐体上部と筐体下部とを螺合することで、前記シール材を筐体の上部内面および底部内面に押圧しながら一体化し、当該縁部と前記シール材との密着状態を得る請求項８に記載の被検物質回収装置。
【請求項１０】
前記試料液が環境水である請求項１〜９のいずれか１項に記載の被検物質回収装置。
【請求項１１】
前記環境水が水田の水である請求項１０に記載の被検物質回収装置。
【請求項１２】
前記被検物質が放射性セシウムである請求項１〜１１のいずれか１項に記載の被検物質回収装置。
【請求項１３】
前記吸着剤がプルシアンブルー型金属錯体微粒子である請求項１〜１２のいずれか１項に記載の被検物質回収装置。
【請求項１４】
請求項１〜１３のいずれか１項に記載の装置により被検物質を回収する方法であって、
貯留試料液から浮遊状態で試料液を汲み上げ、当該汲み上げた試料液を吸着剤を収納した回収器へと送り、当該回収器を流通させることで前記試料液中の被検物質を前記吸着剤に吸着させて回収し、当該回収器から排出された試料液を貯留試料液に返戻する被検物質の回収方法。
【請求項１５】
貯留試料液の液面から５０ｍｍ以内の表層に浮遊して被検物質を回収する請求項１４に記載の被検物質の回収方法。
【請求項１６】
クロスフローフィルターを循環流路中に有するクロスフローろ過機構と、循環流路中で試料液を流通させるポンプと、被検物質を吸着する吸着剤を収納する回収器とを有する被検物質の測定試料調製装置であって、
前記クロスフローろ過機構により被検物質を含有する試料液中の浮遊固形物をろ過してろ液とし、当該ろ液を前記回収器に送り流通させ、前記回収器内の吸着剤に被検物質を吸着させて回収し、一方で、前記クロスフローろ過機構により当該浮遊固形物が濃縮された濃縮液を調製し、当該濃縮液と前記回収器で回収した被検物質とを測定の用に供する被検物質の測定試料調製装置。
【請求項１７】
さらに、前記循環流路中にバッファタンクを有する請求項１６に記載の測定試料調製装置。
【請求項１８】
前記クロスフローフィルターとして精密ろ過膜を用いたことを特徴とした請求項１６または１７に記載の測定試料調製装置。
【請求項１９】
さらに電池を具備し、ポータブルタイプとした請求項１６〜１８のいずれか１項に記載の測定試料調製装置。
【請求項２０】
前記回収器が、上部と底部に開口部を有する測定容器とこれを収容する筐体とを有し、前記測定容器は被検物質を吸着する吸着剤を収納することができ、前記筐体は測定容器の実質的に内部のみに試料液を流通させるよう測定容器の上部縁部と底部縁部とを密閉状態で収容する請求項１６〜１９のいずれか１項に記載の測定試料調製装置。
【請求項２１】
前記測定容器の上部および底部にはシール材が配置されて、前記筐体の内面と前記測定容器の縁部外面とが前記シール材を介して密閉される請求項２０に記載の測定試料調製装置。
【請求項２２】
前記筐体は筐体上部と筐体下部とで構成され、前記筐体上部と筐体下部とは螺合して一体化する構造とされ、前記測定容器とその上部および下部に位置するシール材を内包し、その内包状態で前記筐体上部と筐体下部とを螺合することで、前記シール材を筐体の上部内面および底部内面に押圧しながら一体化し、当該縁部と前記シール材との密着状態を得る請求項２１に記載の測定試料調製装置。
【請求項２３】
前記吸着剤がプルシアンブルー型金属錯体微粒子である請求項１６〜２２のいずれか１項に記載の測定試料調製装置。
【請求項２４】
請求項１６〜２３のいずれか１項に記載の装置により測定試料を調製する方法であって、
前記クロスフローろ過機構により被検物質を含有する試料液中の浮遊固形物をろ過してろ液とし、当該ろ液を前記回収器に送り流通させ、前記回収器内の吸着剤に被検物質を吸着させて回収し、一方で、前記クロスフローろ過機構により当該浮遊固形物を濃縮して濃縮液を調製し、当該濃縮液と前記回収器で回収した被検物質とを測定の用に供する被検物質の測定試料の調製方法。
【請求項２５】
前記測定試料調製装置をポータブルタイプとし、試料液となる環境水を採取し、その場で測定試料を調製する請求項２４に記載の測定試料の調製方法。
【請求項２６】
上部と底部に開口部を有する測定容器とこれを収容する筐体とを有する被検物質の回収器であって、前記測定容器は被検物質を吸着する吸着剤を収納しうる状態とされ、前記筐体は測定容器の実質的に内部のみに試料液を流通させるよう測定容器の上部縁部と底部縁部とを密閉状態で収容する被検物質回収器。
【請求項２７】
前記測定容器の上部および底部にはシール材が配置されて、前記筐体の内面と前記測定容器の縁部外面とが前記シール材を介して密閉される請求項２６に被検物質回収器。
【請求項２８】
前記筐体は筐体上部と筐体下部とで構成され、前記筐体上部と筐体下部とは螺合して一体化する構造とされ、前記測定容器とその上部および下部のシール材を内包し、その内包状態で前記筐体上部と筐体下部とを螺合することで、前記シール材を筐体の上部内面および底部内面に押圧しながら一体化し、当該縁部と前記シール材との密着状態を得る請求項２７に記載の被検物質回収器。
【請求項２９】
前記吸着剤がプルシアンブルー型金属錯体微粒子である請求項２６〜２８のいずれか１項に記載の被検物質回収器。
【発明の詳細な説明】
【技術分野】
【０００１】
本発明は、被検物質回収装置およびこれを用いた被検物質の回収方法、測定試料調製装置およびこれを用いた測定試料の調製方法、ならびに被検物質回収器に関する。
【背景技術】
【０００２】
原子力発電所の事故の際には、放射性物質が環境に飛散することがある。中でも、放射性であるセシウム１３４とセシウム１３７は遠距離まで飛散することが知られており、その対策が課題となる。実際、先の原子力発電所の事故において、ある程度距離が離れた地域で時間が経った後に問題となったのは、この二つの物質である。
【０００３】
このような環境汚染の際に、作物の生育に関与する環境水の汚染の状況を把握することは重要である。現在、広範に精度良く把握するためのさまざまな努力がなされている。その例として、プルシアンブルー型金属錯体微粒子を吸着剤として用いた技術が検討されている（非特許文献１）。そこでは、セシウムに対して高い吸着能を有するプルシアンブルー型金属錯体微粒子を利用し、これを不織布に担持させた吸着シートが提案されている。その回収方法は以下のとおりである。灌漑用水をポンプで汲み上げ、これを前記の吸着シートを配したカラムに通す。これにより、吸着シート中のプルシアンブルー型金属錯体微粒子に環境水中のセシウムを吸着させる。回収を終えた不織布からなる吸着シートは、水で洗浄して、浮遊固形物（ＳＳ）を除去する。その後、ゲルマニウム半導体検出装置により放射性セシウムの濃度を測定することができる。
【先行技術文献】
【非特許文献】
【０００４】
【非特許文献１】保高徹生、川本徹、川辺能成、佐藤利夫、佐藤陸人、中村公人「プルシアンブルー不織布を用いた灌漑用水中の低濃度放射性セシウムモニタリング技術の開発」文部科学省による放射性物質の分布状況等に関する調査研究（河川水・井戸水における放射性物質の移行調査）の結果について（確認日：２０１２／０４／０５）
【発明の概要】
【発明が解決しようとする課題】
【０００５】
わが国においては、言うまでもなく稲作が盛んであり、水田の環境評価はとりわけ重要な課題となる。一方で、水田の水位は浅く、底部の水田土壌は緩く縣濁しやすいため、試料水の採取には工夫を要する。また、水田の水を採取したとしても、その採取量が十分でなかったり、採取から被検物質（放射性セシウム）の回収までに手間がかかったりしたのでは、大規模な調査には適さず、今日の要求に応えることができない。
【０００６】
そこで、本発明の第１の目的は、水田などの浅く底部に巻き上げやすい泥があるような環境でも的確に試料液中の被検物質を回収することができる被検物質回収装置ないしこれを用いた被検物質の回収方法を提供することにある。
本発明の第２の目的は、連続的かつ多量の試料液の採取を可能とし精度の高い分析に資する被検物質の回収装置およびこれを用いた回収方法を提供することにある。
本発明の第３の目的は、被検物質を含有する試料液を、その分析や測定に適した形態に処理することができる測定試料調製装置およびこれを用いた測定試料の調製方法を提供することにある。
本発明の第４の目的は、上記の装置および方法に適合する被検物質回収器を提供することにある。
【課題を解決するための手段】
【０００７】
上記の目的は以下の手段により達成された。
〔１〕貯留された試料液に浮遊しながら当該試料液中の被検物質を回収する装置であって、
前記試料液を汲み上げる汲み上げ機構と、汲み上げた試料液を流通させ被検物質を吸着する吸着剤を収納する回収器と、当該回収器から排出された試料液を貯留試料液に戻す返戻機構とを有する被検物質回収装置。
〔２〕さらに、浮力を得るための浮子体を有する〔１〕に記載の被検物質回収装置。
〔３〕前記汲み上げ機構および前記回収器が浮子体もしくは浮力のある基材に載置されている〔１〕または〔２〕に記載の被検物質回収装置。
〔４〕さらに、カートリッジフィルタを有し、汲み上げた試料液のろ過を行った後、前記回収器に送る〔１〕〜〔３〕のいずれか１項に記載の被検物質回収装置。
〔５〕さらに、電池を有する〔１〕〜〔４〕のいずれか１項に記載の被検物質回収装置。
〔６〕前記貯留された試料液に装置の一部が入水し、試料液が汲み上げられるその入水した箇所に、メッシュフィルターが設けられ、試料液を汲み上げる際の異物の混入を防止する〔１〕〜〔５〕のいずれか１項に記載の被検物質回収装置。
〔７〕前記回収器が、上部と底部に開口部を有する測定容器とこれを収容する筐体とを有し、前記測定容器は被検物質を吸着する吸着剤を収納することができ、前記筐体は測定容器の実質的に内部のみに試料液を流通させるよう測定容器の上部縁部と底部縁部とを密閉状態で収容する〔１〕〜〔６〕のいずれか１項に記載の被検物質回収装置。
〔８〕前記測定容器の上部および底部にはシール材が配置されて、前記筐体の内面と前記測定容器の縁部外面とが前記シール材を介して密閉される〔７〕に記載の被検物質回収装置。
〔９〕前記筐体は筐体上部と筐体下部とで構成され、前記筐体上部と筐体下部とは螺合して一体化する構造とされ、前記測定容器とその上部および下部に位置するシール材を内包し、その内包状態で前記筐体上部と筐体下部とを螺合することで、前記シール材を筐体の上部内面および底部内面に押圧しながら一体化し、当該縁部と前記シール材との密着状態を得る〔８〕に記載の被検物質回収装置。
〔１０〕前記試料液が環境水である〔１〕〜〔９〕のいずれか１項に記載の被検物質回収装置。
〔１１〕前記環境水が水田の水である〔１０〕に記載の被検物質回収装置。
〔１２〕前記被検物質が放射性セシウムである〔１〕〜〔１１〕のいずれか１項に記載の被検物質回収装置。
〔１３〕前記吸着剤がプルシアンブルー型金属錯体微粒子である〔１〕〜〔１２〕のいずれか１項に記載の被検物質回収装置。
〔１４〕〔１〕〜〔１３〕のいずれか１項に記載の装置により被検物質を回収する方法であって、
貯留試料液から浮遊状態で試料液を汲み上げ、当該汲み上げた試料液を吸着剤を収納した回収器へと送り、当該回収器を流通させることで前記試料液中の被検物質を前記吸着剤に吸着させて回収し、当該回収器から排出された試料液を貯留試料液に返戻する被検物質の回収方法。
〔１５〕貯留試料液の液面から５０ｍｍ以内の表層に浮遊して被検物質を回収する〔１４〕に記載の被検物質の回収方法。
〔１６〕クロスフローフィルターを循環流路中に有するクロスフローろ過機構と、循環流路中で試料液を流通させるポンプと、被検物質を吸着する吸着剤を収納する回収器とを有する被検物質の測定試料調製装置であって、
前記クロスフローろ過機構により被検物質を含有する試料液中の浮遊固形物をろ過してろ液とし、当該ろ液を前記回収器に送り流通させ、前記回収器内の吸着剤に被検物質を吸着させて回収し、一方で、前記クロスフローろ過機構により当該浮遊固形物が濃縮された濃縮液を調製し、当該濃縮液と前記回収器で回収した被検物質とを測定の用に供する被検物質の測定試料調製装置。
〔１７〕さらに、前記循環流路中にバッファタンクを有する〔１６〕に記載の測定試料調製装置。
〔１８〕前記クロスフローフィルターとして精密ろ過膜を用いたことを特徴とした〔１６〕または〔１７〕に記載の測定試料調製装置。
〔１９〕さらに電池を具備し、ポータブルタイプとした〔１６〕〜〔１８〕のいずれか１項に記載の測定試料調製装置。
〔２０〕前記回収器が、上部と底部に開口部を有する測定容器とこれを収容する筐体とを有し、前記測定容器は被検物質を吸着する吸着剤を収納することができ、前記筐体は測定容器の実質的に内部のみに試料液を流通させるよう測定容器の上部縁部と底部縁部とを密閉状態で収容する〔１６〕〜〔１９〕のいずれか１項に記載の測定試料調製装置。
〔２１〕前記測定容器の上部および底部にはシール材が配置されて、前記筐体の内面と前記測定容器の縁部外面とが前記シール材を介して密閉される〔２０〕に記載の測定試料調製装置。
〔２２〕前記筐体は筐体上部と筐体下部とで構成され、前記筐体上部と筐体下部とは螺合して一体化する構造とされ、前記測定容器とその上部および下部に位置するシール材を内包し、その内包状態で前記筐体上部と筐体下部とを螺合することで、前記シール材を筐体の上部内面および底部内面に押圧しながら一体化し、当該縁部と前記シール材との密着状態を得る〔２１〕に記載の測定試料調製装置。
〔２３〕前記吸着剤がプルシアンブルー型金属錯体微粒子である〔１６〕〜〔２２〕のいずれか１項に記載の測定試料調製装置。
〔２４〕〔１６〕〜〔２３〕のいずれか１項に記載の装置により測定試料を調製する方法であって、
前記クロスフローろ過機構により被検物質を含有する試料液中の浮遊固形物をろ過してろ液とし、当該ろ液を前記回収器に送り流通させ、前記回収器内の吸着剤に被検物質を吸着させて回収し、一方で、前記クロスフローろ過機構により当該浮遊固形物を濃縮して濃縮液を調製し、当該濃縮液と前記回収器で回収した被検物質とを測定の用に供する被検物質の測定試料の調製方法。
〔２５〕前記測定試料調製装置をポータブルタイプとし、試料液となる環境水を採取し、その場で測定試料を調製する〔２４〕に記載の測定試料の調製方法。
〔２６〕上部と底部に開口部を有する測定容器とこれを収容する筐体とを有する被検物質の回収器であって、前記測定容器は被検物質を吸着する吸着剤を収納しうる状態とされ、前記筐体は測定容器の実質的に内部のみに試料液を流通させるよう測定容器の上部縁部と底部縁部とを密閉状態で収容する被検物質回収器。
〔２７〕前記測定容器の上部および底部にはシール材が配置されて、前記筐体の内面と前記測定容器の縁部外面とが前記シール材を介して密閉される〔２６〕に被検物質回収器。
〔２８〕前記筐体は筐体上部と筐体下部とで構成され、前記筐体上部と筐体下部とは螺合して一体化する構造とされ、前記測定容器とその上部および下部のシール材を内包し、その内包状態で前記筐体上部と筐体下部とを螺合することで、前記シール材を筐体の上部内面および底部内面に押圧しながら一体化し、当該縁部と前記シール材との密着状態を得る〔２７〕に記載の被検物質回収器。
〔２９〕前記吸着剤がプルシアンブルー型金属錯体微粒子である〔２６〕〜〔２８〕のいずれか１項に記載の被検物質回収器。
【０００８】
本発明において、吸着剤ないし収着剤とは、特定の微粒子のみからなるものであっても、別の微粒子や添加剤などと共存したものであっても、媒体中に分散ないし溶解、混合したものであっても、あるいは特定の担体に担持させたものであってもよい。
【発明の効果】
【０００９】
本発明の被検物質回収装置およびこれを用いた被検物質の回収方法によれば、水田などの浅く底部に巻き上げやすい泥があるような環境でも的確に試料液中の被検物質を回収することができる。
本発明の被検物質回収装置およびこれを用いた被検物質の回収方法によれば、連続的かつ多量の試料液の採取を可能とし精度の高い分析に資する。
本発明の測定試料調製装置およびこれを用いた測定試料の調製方法によれば、被検物質を含有する試料液を、その分析や測定に適した形態に処理することができる。
本発明の被検物質回収器は、上記の装置および方法に適合する。
【図面の簡単な説明】
【００１０】
【図１】本発明の好ましい実施形態に係る被検物質回収装置を模式的に示した側面図である。
【図２】本発明の好ましい実施形態に係る被検物質回収装置を示した図面代用写真である（斜視（ａ）、平面視（ｂ））。
【図３】本発明の好ましい実施形態に係る被検物質回収器を模式的に示した分解斜視図である。
【図４】図３に示した被検物質回収器の断面図である。
【図５】Ｏ型パッキン付きの拡散板を模式的に示した断面図である。
【図６】被検物質回収器の別の例を模式的に示した側面図（ａ）と斜視図（ｂ）である。
【図７】被検物質回収器のさらに別の例を模式的に示した断面図である。
【図８】本発明の好ましい実施形態に係る測定試料調製装置を模式的に示した装置構成図である。
【図９】本発明の好ましい実施形態に係る測定試料調製装置を示した図面代用写真である。
【発明を実施するための最良の形態】
【００１１】
以下、本発明について図面を参照しながら詳細に説明する。
＜被検物質回収装置＞
図１は、本発明の好ましい実施形態に係る被検物質回収装置を模式的に示した側面図である。図２は、その装置を示した図面代用写真である。本実施形態の被検物質回収装置１０は、水面ｓに浮遊するよう、浮力を得るための発泡スチロール性の浮子体４を具備する。この浮子体の浮力は後述するように、試料水を採取可能な範囲で装置が沈みつつ、一方で、底部の泥を巻き込まないよう水面に浮揚する設定とされている。
【００１２】
当該浮子体４の上側には、貯留された水（試料水）ｗから水を汲み上げ系内に流通させるポンプ２、試料水中の浮遊固形物等の混入物を除去するカートリッジフィルタ３、放射性セシウム（被検物質）を回収する回収器１、フローメーター６、電池５が載置されている。前記のポンプ２、カートリッジフィルタ３、回収器１、フローメーター６は、その順でチューブ（ａ１、ａ２、ａ３、ａ４、ａ５）により接続されている。これにより、水が貯留水ｗから汲み上げ機構（チューブａ１、ポンプ２）により汲み上げられて系内を流通し、返戻機構（チューブａ５）を介して貯留水ｗに返戻されるようにされている。電池５はポンプ２に電気的に接続され、電源スイッチ（図示せず）により手動で作動するようにされている。あるいは、遠隔操作によりポンプが作動するようにしてもよい。本実施形態に係る被検物質回収装置１０は、独立して水面ｓに浮遊することにより、水田底部Ｂの泥を巻き上げずにチューブａ１より水を汲み上げることができる。
【００１３】
前記浮子体４の側部の周囲はカバー８で覆われている。このカバーは、外観の良化とともに、衝撃吸収壁としての機能も兼ねているが、省略してもよい。その前方には、給水ゲート８１が設けられ、その前面８１ａがメッシュ状の板材で構成されている。一方、給水ゲート８１の底部８１ｂおよび側壁は開口部のない構造とされている。このようにすることで、チューブａ１を介して試料水を汲み上げる際に、メッシュ状の板材で構成された前面８１ａを水が通過するようにされている。本採水機構は、水面などに浮かぶ大き目のごみや木くずや草木などの混入を排除するとともに、採水の際の振動や水の流動による底部の泥などの巻き上げを防止することを目的とする。
【００１４】
浮子体４の後方には、排水ゲート８２が設けられている。この排水ゲート８２の底部８２ｂおよび側壁は、給水ゲート８１と同様に密閉構造となっている。一方で後面８２ａはメッシュ状の板材で構成され、そこから返戻された試料水が排出されるようにされている。これにより、排水時の水の流動などによる泥の巻き上げを防ぐことができる。
【００１５】
本実施形態の被検物質回収装置は、その上部全体が透明カバー９で覆われている。その形状は半球状とされており、安定性があり、雨水の侵入をさけ、かつ外観的にも環境と調和する。被検物質回収装置は、水面に浮揚するように軽量であることが好ましく、部品や機器は少ない方が好ましいが、上記に加え、さらに別の部品や機器等を搭載していてもよい。本装置に搭載するその他の部品や機器の例としては、温度・湿度計およびその記録計、流量および流速の記録計、圧力計およびその記録計、装置回路内の電圧・電流計およびその記録計、装置正常作動などの監視用撮影機器が挙げられる。照明なども重さおよび電源の許容量を考慮し、搭載可能である。
なお、本明細書においては、被検物質を回収する対象となる水を、広い概念で試料水と呼び、水田などでその水が貯留されている状態を区別して貯留水という。また、水に限らず被検物質を含有する液体全般を広くさすときには「液」と呼び、例えば、試料液や貯留試料液などと称する。
【００１６】
被検物質回収装置の水に沈む程度は特に限定されないが、一般的な水田の土壌（底）までの距離ｄ２が、通常、６０〜１００ｍｍであることを考慮すると、沈み深さｄ１が３０〜５０ｍｍ程度であることが好ましい。下表は一般的な発泡スチロールを浮子体として用いる条件で、沈み深さを５０ｍｍとしたときに載置できる機器の重さを求めた計算結果である。本実施形態においては、浮子体に用いられる材料の浮力と、水に対する沈み深さの関係で、載置する機器や部品の重さを設定することが好ましい。特に、観測者から離れた箇所で独立して作動し、かつ、長時間吸水を行う観点から載置する部品や機器の重さは重くなりがちである。これに対し、十分に浮揚する範囲で機器等を選定することが好ましい。
【００１７】
浮子体の大きさ（平面視の直径）は特に限定されないが、水田に適用するときには、稲稲間の距離が３０ｃｍ程度であり、この３０ｃｍ以下とすることが好ましい。このような設定では、下表のとおり、３．５ｋｇを下回る搭載機器とすることが求められ、軽量化が重要な設計要素となる。
【００１８】
【表Ａ】
2014228422.tif 000003
＊発泡スチロール製（密度：０．０１５ｇ／ｃｍ３）
沈み深さは５０ｍｍとした
【００１９】
浮子体の形状は、上記で例示した板状に限らず、装置の重量および装置への水の流入を防げれば桶状などの船型でもよい。より小さくするためには、発泡スチロールは装置類を支えるため穴をあけて装置を埋め込むために用い、その周りをプラスチックで覆う円筒のプラスチック桶（船）に発泡スチロールが埋め込まれているような形状でもよい。あるいは、発泡スチロール（浮子体）を用いずに、船（桶）形の基材により浮力を得て、そこに各機器を載置するようにしてもよい。
【００２０】
本実施形態の被検物質回収装置によれば、適度な流量で長時間の運転が可能であり、分析に好適な多量の試料水から被検物質を回収することができる。汲み上げ速度（フローメータ６で計測される通水速度）は、０．０３Ｌ／ｍｉｎ以上であることが好ましく、０．１Ｌ／ｍｉｎ以上であることがより好ましく、０．３Ｌ／ｍｉｎ以上であることが特に好ましい。上限は吸着剤の吸着量等を考慮して設定することができ、３Ｌ／ｍｉｎ以下であることが好ましく、１Ｌ／ｍｉｎ以下であることがより好ましく、０．５Ｌ／ｍｉｎ以下であることが特に好ましい。汲み上げ速度を前記の範囲とすることで、多量の通水を可能とするとともに、水田の水に過度に流れを与え底部Ｂの泥の巻上げてしまうことを効果的に抑制することができる。
【００２１】
被検物質回収装置の運転時間は特に限定されないが、できるだけ長時間の運転を可能とする観点から、２時間以上の運転とすることが好ましく、２０時間以上の運転とすることがより好ましい。上限は特にないが、電池等の重量を過度に大きくしない観点から、２４０時間以下の運転とする設定が好ましく、２４時間以下の運転とする設定がより好ましい。
【００２２】
＜被検物質回収器＞
次に、本発明の被検物質の回収器について説明する。図３は、本発明の好ましい実施形態に係る被検物質回収器を模式的に示した分解斜視図である。図４はその断面図であり、図５はその部品であるシール材（Ｏ型パッキン）付きの拡散板を模式的に示した断面図である。本実施形態の回収器１は、筐体上部１１および筐体下部１２からなる筐体と、Ｏ型パッキン（シール材）２１およびガラス拡散板２２と、底部に穴２３ｂを設けた測定容器（Ｕ−８容器）２３と、Ｏ型パッキン（シール材）２４とで構成されている。筐体上部１１は、その螺合穴１１ａで、試料水が供給されるチューブａ３と結合される。この結合により、試料水が筐体の内部に供給可能となる。拡散板９０は水を通す多孔性のガラス拡散板２２を有し、ここを介して、測定容器の内部に水を供給するようにされている。ここで、ガラス拡散板２２の周囲にかぶせられたＯ型パッキン２１は、測定容器の縁２３ｄと当接する構造とされており、ここで両部材が密閉される。一方、Ｏ型パッキン２１は、筐体上部の内面１１ｂ（図４）と当接しここで密閉状態が得られる。このように、筐体上部１１と測定容器２３とが中央において拡散板２２を介して通水可能であり、その周囲においては密閉され水が漏洩しない構造となっている。なお、拡散板は、焼結体、ガラスフィルター、プラスチックなど、通常この種の整流フィルターとして用いられるものを、適宜選定して用いることができる。
【００２３】
測定容器２３の上部には開口部２３ａがあり、一方で底部には通水穴２３ｂが設けられており、ここから試料水が流入・流出する構造とされている。図示していないが、測定容器の内部には吸着剤を収納することができ、例えば、測定容器の底部側に吸着剤を担持した構造体を設置することができる。これにより、試料水を測定容器の内部に流通させたときに、吸着剤に被検物質（放射性セシウム）を吸着させ回収することができる。
【００２４】
測定容器の後方にはＯ型パッキン（シール材）２４が配置され、筐体上部１１のときと同様に、筐体下部１２の内面１２ｂ（図４）とＯ型パッキン２４とが当接し、一方で測定容器の縁２３ｃとＯ型パッキン２４とが当接し、密閉構造が実現されるようにされている。これにより、試料水が、測定容器の内部のみを流通し、その外側に漏洩しない構造とされている。
【００２５】
筐体上部１１と筐体下部１２とはそれぞれの螺合部１１ｃ、１２ｃで螺合され、一体化する構造とされている。これにより、内部に収容する測定容器等を的確に設置しながら螺合し、その内部でずれを生じさせることなく一体化された被検物質回収器１とすることができる。この螺合一体化構造が本実施形態の被検物質回収器１の利点である。
【００２６】
図６は、被検物質回収器の別の例を模式的に示した側面図（ａ）および斜視図（ｂ）である。本実施形態の回収器１Ａは、その筐体が筐体上部１１ｘおよび筐体下部１２ｘからなる。この筐体上部１１ｘおよび筐体下部１２ｘは直接螺合して一体化するのではなく、ネジ２５、２６により、固定板２５ａ、２６ａ、２７を締め付けることにより、一体化するようにされている。この一体化により、筐体の内部に測定容器２３を収容するようにされる。このとき、上記の実施形態と同様に、拡散板９０のＯ型パッキン２４と他方のＯ型パッキンとが、筐体の内面と当接し、測定容器の中央において試料水を通水し、外方には漏洩しない密閉構造が実現されている。筐体上部１１ｘ、筐体下部１２ｘには、それぞれ上部ジョイントＪ１、下部ジョイントＪ２が形成され、チューブａ３、チューブａ４と接続される構造となっている。本実施形態においては、測定容器のサイズ（長さ）の変更等にも、ネジの長さを変更することで対応でき、対応の自由度があるのが利点である。
【００２７】
図７は、被検物質回収器のさらに別の例を模式的に示した断面図である。本実施形態の回収器１Ｂは、上記回収器１Ａの変形例であり、その筐体下部１２ｙの側壁が延長され筐体上部１１ｙと嵌合するようにされている。これにより、より確実な密閉性が得られる。筐体上部１１ｙと筐体下部１２ｙとの一体化は、上記回収器１Ａと同様に、ネジおよび固定板を用いることにより行うことができる。あるいは、嵌合部３１で筐体上部と筐体下部とが螺合一体化する構成としてもよい。
【００２８】
測定容器にはこの種の測定に用いる容器を広く適用することができる。典型的には、図示したもののように、円筒形の容器であり、その上側と下側とに開口部があり、円筒の母線方向に沿って試料水が流通する構造となったものが挙げられる。例えば、本実施形態で採用したＵ−８容器以外にも、Ｖ−３容器、Ｖ−９容器、マリネリ容器などを利用することができる。それぞれの容器の大きさや形態に合わせて筐体を設計することで、前記各実施形態の内部において測定容器との密閉構造を実現した回収容器とすることができる。
【００２９】
＜測定試料調製装置＞
図８は、本発明の好ましい実施形態に係る測定試料調製装置を模式的に示した装置構成図である。図９は、本発明の好ましい実施形態に係る測定試料調製装置を示した図面代用写真である。本実施形態の測定試料調整装置５０は、タンク５１を有する。このタンク５１には、ポンプ５４ａおよび流路（チューブ）ｂ１を介して、貯留水（水田）ｗの水（試料水）が採取され蓄積される。タンク５１の水量および流路ｂ３に送られる水量は弁５６ｅにより調整され、流路ｂ２を介して必要により排水される。所定の流量でフローメーター５２ａを有する流路（チューブ）ｂ３に試料水が送られ、流路ｂ４、ｂ５、ｂ７、ｂ８を有する循環流路ｂｃに試料水が送られる。流路ｂ４にはバッファタンク５３が設けられ、循環する試料水の量が調整されるようになっている。流路ｂ５にはポンプ５４ｂが設けられ、試料水が循環流路ｂｃを流れるようにされている。流路ｂ７には、クロスフローフィルター５５が配置され、その両側の圧力計（Ｐ１、Ｐ２）でその圧力が管理されている。流路ｂ７の先方および流路ｂ７と流路ｂ８との間には弁５６ａと５６ｄとが配置され、循環流路ｂｃ内の試料水の循環量を調整することが可能となっている。流路ｂ５には、濃縮液回収流路ｂ９が接続され、弁５６ｂを介して容器５７に、クロスフローにより浮遊固形物が濃縮された濃縮液が回収されるようにされている。
【００３０】
このように、本実施形態においては、循環流路ｂｃ、バッファタンク５３、クロスフローフィルタ５５、ポンプ５４ｂ、弁５６ｄ、圧力計により、クロスフロー機構が形成されている。このクロスフロー機構内で、試料水を循環させることで、試料水中の浮遊固形物（ＳＳ）を濃縮させ、一方で、ろ化した浮遊固形物の少ないろ液試料水を、流路ｂｌ１に導くようにされている。ここで、クロスフローフィルターには、別の流路ｂ６が接続されており、弁５６ｃにより、必要によりクロスフィルター内の水抜きを行うことができる。流路ｂ１１にフローメーター５２ｂを介して導かれたろ化された試料水はポンプ５４ｃによりさらに被検物質回収器１に送られ、ここでその内部に収納された吸着剤により放射性セシウム等の被検物質が回収される。被検物質回収器１の構成は、上記の実施形態で説明したものと同様である。
【００３１】
本実施形態のクロスフローフィルターには、精密ろ過膜を適用することが好ましい。精密ろ過膜の孔径（直径）［顕微鏡写真から円相当直径で特定できる］は、５０ｎｍ以上であることが好ましく、１００ｎｍ以上であることがより好ましく、５００ｎｍ以上であることが特に好ましい。上限としては、１０μｍ以下であることが好ましく、５μｍ以下であることがより好ましく、１μｍ以下であることが特に好ましい。材質としては、酢酸セルロース、芳香族ポリアミド、ポリビニルアルコール、ポリスルホン、ポリフッ化ビニリデン、ポリエチレン、ポリアクリロニトリル、セラミック、ポリプロピレン、ポリカーボネート、ポリテトラフルオロエチレンなどを挙げることができる。膜内部の構造は限定されないが、樹脂製のろ過膜であるとき、中空子膜構造であることが挙げられる。
【００３２】
本実施形態によれば、上述のように、浮遊固形物の少ないろ液試料水の方では回収器１により被検物質が回収される。一方で、浮遊固形物が濃縮された濃縮試料は容器５７に回収される。このように、試料水（環境水）を浮遊固形物の濃縮液と、ろ液の回収物とに分けて採取することで、引き続く分析の工数を大幅に削減することができ、また、従来ではなしえなかった精度や条件での分析が可能となる。例えば、上記測定試料調製装置を用いずに濃縮液試料を調製しようとすると、従来では、加熱蒸発により濃縮していた。そのエネルギーおよび時間がこの種の分析に大きな負担となっていたが、本実施形態によればこのような問題が解決できる。また、フィルターによる吸引ろ過が考えられるが、これではろ過量が制限され、目詰まりも問題となる。ろ液試料水側にあるのは液中に溶解した被検物質にあたり、濃縮液側は浮遊固形物側に存在する被検物質にあたるとみることができ、この分析は貴重な環境情報を与える。本発明の測定試料調製装置によれば、上記のようなろ過に関連する問題も解決し、好適にろ液試料を調製することができる。すなわち、被検物質（放射性セシウム）を煩雑な操作を経ずにろ液とＳＳ濃縮液の両者で分離して測定試料とし解析することができ、安価で効率的かつ安定した解析評価の可能性をもたらすものである。
なお、本発明において浮遊固形物（ｓｕｓｐｅｎｄｅｄ  ｓｏｌｉｄｓ［ＳＳ］）とは、水中に浮遊する不溶解性物質等の総称であり、典型的には粒径２ｍｍ以下の不溶解成分を言う。
【００３３】
＜プルシアンブルー型金属錯体微粒子＞
本発明において「プルシアンブルー型金属錯体」とは下記金属原子ＭＡと金属原子ＭＢの間をシアノ基（ＣＮ）が架橋してなる金属錯体と定義し、これをプルシアンブルー錯体類似体（ＰＢＡ）ということがある。なお、プルシアンブルーと異なる結晶構造をとっていても、下記式（Ａ）で表されるようにプルシアンブルーと同様の組成式で表され類似の結晶構造をもつ錯体は上記プルシアンブルー型金属錯体に含むものとする。
ＡｘＭＡ［ＭＢ（ＣＮ）６］ｙ・ｚＨ２Ｏ・・・（Ａ）
【００３４】
Ａは陽イオンである。陽イオンとしては、一価の陽イオンが好ましく、ナトリウムイオン、カリウムイオン、アンモニウムイオン、ルビジウムイオン、セシウムイオン等が挙げられる。
【００３５】
ｘは０〜３の数であり、０〜２の数であることが好ましい。
【００３６】
ｙは０．１〜１．５の数であり、０．３〜１．１の数であることが好ましく、０．３〜１の数であることがより好ましい。
【００３７】
ｚは０〜３０の数であり、０〜２０の数であることがより好ましい。
【００３８】
ＭＡ，ＭＢは金属原子である。
金属原子ＭＡは、バナジウム、クロム、マンガン、鉄、ルテニウム、コバルト、ロジウム、ニッケル、パラジウム、白金、銅、銀、亜鉛、ランタン、ユーロピウム、ガドリニウム、ルテチウム、バリウム、ストロンチウム、及びカルシウムからなる群より選ばれる一種または二種以上の金属である。金属原子ＭＡとしては鉄、コバルト、ニッケル、バナジウム、銅、マンガン、クロム、もしくは亜鉛が好ましく、鉄、コバルト、銅、亜鉛、もしくはニッケルがより好ましい。
金属原子ＭＡとして二種類以上を含む場合には、鉄と銅の組み合わせ、鉄とニッケルとの組み合わせ、鉄とコバルトとの組み合わせ、ニッケルとコバルトとの組み合わせが好ましく、鉄と銅との組み合わせ、鉄とニッケルとの組み合わせがより好ましい。また、ＭＡが二種以上の金属原子の場合、それらは構造中で均一に混合していてもよく、また、プルシアンブルー型金属錯体が粒子状である場合、その中心にはある特定の金属が存在し、表面近傍に別の金属が存在するなどの偏りがあってもよい。
【００３９】
金属原子ＭＢは、バナジウム、クロム、モリブデン、タングステン、マンガン、鉄、ルテニウム、コバルト、ニッケル、白金、及び銅からなる群より選ばれる一種または二種以上の金属原子である。中でも金属原子ＭＢとしては鉄、クロム、もしくはコバルトが好ま
しく、鉄が特に好ましい。
金属原子ＭＢとして二種類以上を含む場合には、鉄とクロムとの組み合わせ、鉄とコバルトとの組み合わせ、クロムとコバルトとの組み合わせが好ましく、鉄とクロムとの組み合わせがより好ましい。
プルシアンブルー型金属錯体は微細な粒子状であってもよい。プルシアンブルー型金属錯体が粒子状であり、また、ＭＢが二種以上の金属原子の場合、それらは粒子中で均一に混合していてもよく、また粒子の中心にはある特定の金属が存在し、表面近傍に別の金属が存在するなどの偏りがあってもよい。複数の異なる金属を含有する粒子、あるいは組成の異なる粒子を混合して用いてもよい。
上記プルシアンブルー型金属錯体の調製および特性等については、特開２０１２−００６８３４、特開２０１１−２００８５６、特開２００６−２５６９５４、国際公開第２００８／０８１９２３、国際公開第２００９／１５７５５４、国際公開第２００９／１５７５５、国際公開第２００８／０８１９２３号の各公報を広く参照することができる。
【００４０】
前記式（Ａ）の組成式で示される構造は、利用する金属シアノ錯体の主要な要素があれ
ばよい。複合体中において、３０質量％以上がこの式の組成で構成されることが好ましく、５０質量％以上がこの式の組成で構成されていることがより好ましい。また、プルシアンブルー型金属錯体の微粒子は、表面処理や改質、別の材料との複合化などがされていてもよい。あるいは、コア／シェル型の構造とされていてもよい。
【００４１】
本発明において、プルシアンブルー微粒子の粒径は特に限定されないが、一次粒子が１００ｎｍ以下であることが好ましく、７０ｎｍ以下がより好ましく、３０ｎｍ以下であることが特に好ましい。下限値は特にないが、３ｎｍ以上であることが実際的である。二次
粒子の粒径も特に限定されないが、二次粒子の粒径としては１００ｎｍ以下であることが望ましい。あるいは、大きな粒子が望まれる場合には、１０μｍ〜１ｍｍの間のものが好適に利用され、２０μｍ〜２００μｍのものがより好ましい。
本発明においてプルシアンブルー微粒子の粒径は、その粒径の範囲や、測定試料の状態
に応じてその測定方法が選定されればよい。一次粒子の粒径は、例えば、Ｘ線回折装置で測定することができる。二次粒子の粒径（体積径）は例えばＬＡ−９２０（商品名  株式会社堀場製作所製）を用いて測定することができる。あるいは、透過型電子顕微鏡や走査
型電子顕微鏡などによって測定してもよい。
【００４２】
プルシアンブルー型金属錯体微粒子を吸着剤（収着剤とも称する）として用いるとき、その形態は特に限定されない。微粒子のまま、前記測定容器内に収納してもよい。このときには、微粒子が流出しないように、測定容器の底部に流出防止材（メッシュフィルタや綿状のフィルタなど）を設けることが好ましい。あるいは、ゼオライトなどの担体に担持させて用いたり、不織布などに担持させたりしてもよい。
【実施例】
【００４３】
以下に、本発明を実施例に基づいて詳細に説明するが、本発明はこれにより限定して解釈されるものではない。
＜実施例１＞
フェロシアン化ナトリウム・１０水和物を水に溶解した水溶液［反応液１］を準備した（濃度：０．２４ｇ／ｍＬ）。これとは別に、硝酸鉄・９水和物を水に溶解した水溶液［反応液２］を準備した（濃度０．５４ｇ／ｍＬ）。これらを攪拌下で混合し、プルシアンブルー（ＡｘＦｅ［Ｆｅ（ＣＮ）６］ｙ・ｚＨ２Ｏ）のスラリーを得た。これを、乾燥し、粉末化したセシウム吸着剤の試料とした。
【００４４】
前記プルシアンブルー微粒子を担持した吸着剤担持物を有する測定容器を、図３に示す形態の筐体に各部材とともに収容し、試験用の回収器とした。当該回収器を装着し、図１に示す構成の被検物質回収装置とした。この装置の諸元は下記のとおりであった。
装置の直径：５５ｃｍ
装置の高さ：３０ｃｍ
装置の重量：６０００ｇ
浮子体の材料：発泡スチロール
浮子体の直径：５０ｃｍ
浮子体の厚さ：６ｃｍ
浮子体の密度：０．０１５ｇ／ｃｍ３
【００４５】
前記被検物質回収装置を水田に浮遊させ、放射性セシウムの回収を行った。回収時間は５時間から１０時間であった。５回（５日）に分けて回収を行い、回収された試料からゲルマニウム検出機で測定した放射線量を下表にまとめて示す。
【００４６】
【表１】
2014228422.tif 000004
ゲルマニウム検出器：セイコー・イージーアンド・ジー（株）社製
測定時間：９０００秒
【００４７】
上記実施例の結果から分かるとおり、本発明の被検物質回収装置によれば、水田のような水深が浅く、底部に泥があるような環境でも、好適な被検物質の回収が可能である。また、連続して長時間の試料採取が可能なため、１度に試料水を汲み取る態様に比べ、よりその場所の環境状況に即した分析ができることがわかる。なお、同じ場所で採取した４０Ｌの水を濃縮して同様の放射線量測定を行ったが、ろ紙サイズの小さいものでろ過した試料では検出限界を下回っていた。このことから、本発明の被検物質回収装置によれば、従来測定が困難であった領域の被検物質（放射性セシウム）の検出も可能になることが分かる。
【００４８】
＜実施例２＞
実施例１と同じ被検物質回収装置を用いて、水田、池、水路の３箇所において被検物質の回収試験を行った。結果を下表２に示す。
【００４９】
【表２】
2014228422.tif 000005
ゲルマニウム検出器：セイコー・イージーアンド・ジー（株）社製
測定時間：１８００秒
ＳＳ：ＳＳカートリッジを用いて分析を行った結果。詳しくは、実施例３で用いた測定試料調整装置を用いて調整した濃縮液を用いて放射線量を測定した。
ＰＢ：実施例１の被検物質回収装置で回収したサンプルで測定した結果。
Ｎ．Ｄ．：検出不可
【００５０】
この結果から様々な測定環境で本発明の測定装置は有用であることが分かる。なお、ＳＳカートリッジを用いた結果と総合して、浮遊固形物（ＳＳ）とともに存在する被検物質（放射性セシウム）と、環境水に溶解している被検物質（放射性セシウム）の回収および測定が可能であり、多面的な環境評価が可能であることが分かる。
【００５１】
＜実施例３＞
実施例１と同じ水田で、図８に示した装置を用いて被検物質の回収と濃縮液の調製とを行った。クロスフローフィルターを構成するろ過膜としては、日本ガイシ社製  ＷＣ７Ｃ−１０３０１９−２５０ＡＨ［孔径１μｍ］（商品名）を用いた。このとき、クロスフロー機構により濃縮液を取得し（濃縮液）、その後試料水の循環を中止し、系内に純水を供給して流路内部に残留した浮遊固形物（ＳＳ）を洗浄回収した（１次洗浄）。さらに、同様の純水による洗浄回収を行った（２次洗浄）。表３にそのときの浮遊固形物の量を示した。
【００５２】
【表３】
2014228422.tif 000006
【００５３】
この結果から、クロスフロー機構による濃縮と、２度の系内の洗浄（リンス）により、浮遊固形物をほぼ取りこぼしなく回収できることが分かる。
【００５４】
＜実施例４＞
さらに、実施例３で使用した測定試料調製装置を用い、実施例２で調査を行った池の水の濃縮回収をおこなった。回収した濃縮液をすべて２Ｌのマリネリ容器に移し、洗浄液や純水を用いて２Ｌまでメスアップして液体状の試料として、ゲルマニウム検出器により放射線量を測定した（ＳＳ）。一方、測定試料調製装置により濃縮処理と同時に回収される、ろ液側の被検物質の回収試料（回収器１）を用いて同様に放射線量を測定した（ＰＢ）。
【００５５】
【表４】
2014228422.tif 000007
ゲルマニウム検出器：セイコー・イージーアンド・ジー（株）社製
測定時間：濃縮液側試料…４３２００秒
回収器側試料…１８００秒
【００５６】
上記の結果より、本発明の測定試料調製装置によれば、加熱蒸発処理などと比し、簡便かつ効率的に放射線量の測定に適した試料を得ることができることが分かる。また、濃縮液（浮遊固形物側）とろ液（溶解分側）とに分けて被検物質を回収することができ、多面的な環境評価が可能となることが分かる。
【符号の説明】
【００５７】
１、１Ａ、１Ｂ  回収器
２  ポンプ
３  カートリッジフィルタ
４  浮子体
５  電池
６  フローメーター
８  側面カバー
９  上部透明カバー
１０  被検物質回収装置
１１、１１ｘ、１１ｙ  筐体上部
１２、１２ｘ、１２ｙ  筐体下部
２１、２４  Ｏ型パッキン（シール材）
２２  ガラス拡散板
２３  測定容器（Ｕ−８容器）
２５、２６  ネジ
２５ａ、２６ａ、２７  固定板
５０  測定試料調製装置  
５１  タンク
５２ａ、５２ｂ  フローメーター
５３  バッファタンク
５４ａ、５４ｂ、５４ｃ  ポンプ
５５  クロスフローフィルター
５６ａ、５６ｂ、５６ｃ、５６ｄ  弁
５７  容器
８１  給水ゲート
８２  排水ゲート
９０  拡散板
【図１】
2014228422.tif 000008
【図３】
2014228422.tif 000009
【図４】
2014228422.tif 000010
【図５】
2014228422.tif 000011
【図６】
2014228422.tif 000012
【図７】
2014228422.tif 000013
【図８】
2014228422.tif 000014
【図２】
2014228422.tif 000015
【図９】
2014228422.tif 000016